(57)【要約】【課題】ＰＨＳの無線中継装置において、中継送信を制御する制御部が、記憶部に照会して、該記憶部に記憶されているＩＤの端末局だけの中継送信を実現するために、登録部が記憶部への端末局ＩＤの書込みを行わせるにあたって、登録を容易に行えるようにする。【解決手段】登録部１５は電源部１６の起動後、或いは登録釦１５ａの操作後、所定時間、たとえば１分だけ登録モードとして、制御部１３に記憶部１４への端末局ＩＤの書込みを許可する。これに応答して制御部１３は、端末局３向けの第２の無線通信部１２で受信された端末局３からの位置登録信号から、ＩＤを抽出して前記記憶部１４に記憶させる。したがって、端末局３の発呼操作は必要なく、端末局３の電源が投入されていると、所定周期で発信されている位置登録信号を利用して、近くにあった端末局のＩＤだけを自動的に登録することができ、中継を許可する端末局ＩＤの登録を容易に行うことができる。【選択図】図２
2009130776.tif 000002
【特許請求の範囲】
【請求項１】
無線通信を行う基地局と端末局との間に介在され、前記基地局および端末局のそれぞれと通信を行う第１および第２の無線通信手段と、前記第１および第２の無線通信手段を制御して、前記基地局および端末局の一方から送信された信号を他方へ中継送信させる制御手段と、前記制御手段が前記第１および第２の無線通信手段に中継送信を行わせるにあたって照会され、前記中継送信を許可する端末局のＩＤを記憶している記憶手段と備えて構成される無線中継装置において、
起動後の予め定める時間に亘り前記記憶手段への端末局ＩＤの書込みを許可し、前記制御手段に、前記第２の無線通信手段で受信された端末局からの位置登録信号から、前記ＩＤを抽出させて前記記憶手段に記憶させる登録手段を含むことを特徴とする無線中継装置。
【請求項２】
無線通信を行う基地局と端末局との間に介在され、前記基地局および端末局のそれぞれと通信を行う第１および第２の無線通信手段と、前記第１および第２の無線通信手段を制御して、前記基地局および端末局の一方から送信された信号を他方へ中継送信させる制御手段と、前記制御手段が前記第１および第２の無線通信手段に中継送信を行わせるにあたって照会され、前記中継送信を許可する端末局のＩＤを記憶している記憶手段と備えて構成される無線中継装置において、
登録釦を有し、前記登録釦の操作中または操作から予め定める時間に亘り前記記憶手段への端末局ＩＤの書込みを許可し、前記制御手段に、前記第２の無線通信手段で受信された端末局からの位置登録信号から、前記ＩＤを抽出させて前記記憶手段に記憶させる登録手段を含むことを特徴とする無線中継装置。
【請求項３】
前記制御手段は、前記第２の無線通信手段で受信された位置登録信号のレベルが予め定めるレベル以上である端末局のＩＤのみを前記記憶手段へ書込むことを特徴とする請求項１または２記載の無線中継装置。
【請求項４】
前記請求項１〜３のいずれか１項に記載の無線通信装置から成ることを特徴とするＰＨＳ中継装置。
【発明の詳細な説明】
【技術分野】
【０００１】
本発明は、ＰＨＳなどの無線通信システムにおいて、基地局と端末局との間に介在されて弱電界地域を通信エリアとして補うために使用される無線中継装置およびそれを用いるＰＨＳ中継装置に関し、特に家庭や小規模な事業所などに適した簡易な構成のものに関する。
【背景技術】
【０００２】
移動体通信の分野において、基地局と端末局との間に介在されて弱電界地域を通信エリアとして補う前記無線中継装置が従来から使用されている。特に、前記ＰＨＳ（Personal Handyphone System）は、送信電力が小さく、サービス開始当初から、無線中継装置が実用化され、必要に応じて、前記家庭や事業所などに設置されている。
【０００３】
その無線中継装置の典型的な先行技術は、たとえば本願出願人による特許文献１で提案されている。その従来技術は、中継すべき端末局のＩＤを予め登録しておき、その登録されたＩＤの端末局からの位置登録信号を受信すると、所定時間の間は、登録されていないＩＤの端末局からの信号を中継しないことで、無線中継装置の所有者の利便性を損なうことなく、他の使用者へ無線中継装置を開放することができるという優れた無線中継装置である。
【特許文献１】特開２００６−６０４８５号公報
【発明の開示】
【発明が解決しようとする課題】
【０００４】
上述の従来技術では、前記ＩＤの登録は、無線中継装置が所定（ダミー）の着番号の発呼信号を受信することで行われる。このため、登録には一々発呼しなければならず、事業所等で登録端末が多いと面倒である。
【０００５】
本発明の目的は、無線中継装置が中継を許可する端末局ＩＤの登録を容易に行うことができる無線中継装置およびそれを用いるＰＨＳ中継装置を提供することである。
【課題を解決するための手段】
【０００６】
本発明の無線中継装置は、無線通信を行う基地局と端末局との間に介在され、前記基地局および端末局のそれぞれと通信を行う第１および第２の無線通信手段と、前記第１および第２の無線通信手段を制御して、前記基地局および端末局の一方から送信された信号を他方へ中継送信させる制御手段と、前記制御手段が前記第１および第２の無線通信手段に中継送信を行わせるにあたって照会され、前記中継送信を許可する端末局のＩＤを記憶している記憶手段と備えて構成される無線中継装置において、起動後の予め定める時間に亘り前記記憶手段への端末局ＩＤの書込みを許可し、前記制御手段に、前記第２の無線通信手段で受信された端末局からの位置登録信号から、前記ＩＤを抽出させて前記記憶手段に記憶させる登録手段を含むことを特徴とする。
【０００７】
上記の構成によれば、ＰＨＳなどの無線通信システムに用いられ、無線通信を行う基地局と端末局との間に介在され、それらの一方から送信された信号を他方へ中継送信する無線中継装置において、その中継送信を制御する制御手段が、記憶手段に照会して、該記憶手段に記憶されているＩＤの端末局だけの中継送信を実現するために、登録手段が前記制御手段に記憶手段への端末局ＩＤの書込みを行わせるにあたって、該登録手段は、起動後の予め定める時間だけ登録モードとして、前記記憶手段への端末局ＩＤの書込みを許可し、前記制御手段は、前記第２の無線通信手段で受信された端末局からの位置登録信号から、前記ＩＤを抽出して前記記憶手段に記憶させる。
【０００８】
したがって、端末局の発呼操作は必要なく、端末局の電源が投入されていると、所定周期で発信されている位置登録信号を利用して、起動時に無線中継装置の近くにあった端末局のＩＤだけを自動的に登録することができ、中継を許可する端末局ＩＤの登録を容易に行うことができる。
【０００９】
また、本発明の無線中継装置は、無線通信を行う基地局と端末局との間に介在され、前記基地局および端末局のそれぞれと通信を行う第１および第２の無線通信手段と、前記第１および第２の無線通信手段を制御して、前記基地局および端末局の一方から送信された信号を他方へ中継送信させる制御手段と、前記制御手段が前記第１および第２の無線通信手段に中継送信を行わせるにあたって照会され、前記中継送信を許可する端末局のＩＤを記憶している記憶手段と備えて構成される無線中継装置において、登録釦を有し、前記登録釦の操作中または操作から予め定める時間に亘り前記記憶手段への端末局ＩＤの書込みを許可し、前記制御手段に、前記第２の無線通信手段で受信された端末局からの位置登録信号から、前記ＩＤを抽出させて前記記憶手段に記憶させる登録手段を含むことを特徴とする。
【００１０】
上記の構成によれば、ＰＨＳなどの無線通信システムに用いられ、無線通信を行う基地局と端末局との間に介在され、それらの一方から送信された信号を他方へ中継送信する無線中継装置において、その中継送信を制御する制御手段が、記憶手段に照会して、該記憶手段に記憶されているＩＤの端末局だけの中継送信を実現するために、登録手段が前記記憶手段への端末局ＩＤの書込みを実現するにあたって、該登録手段は、登録釦を有し、その登録釦の操作中または操作から予め定める時間だけ登録モードとして、前記制御手段に記憶手段への端末局ＩＤの書込みを許可し、前記制御手段は、前記第２の無線通信手段で受信された端末局からの位置登録信号から、前記ＩＤを抽出して前記記憶手段に記憶させる。
【００１１】
したがって、端末局の発呼操作は必要なく、端末局の電源が投入されていると、所定周期で発信されている位置登録信号を利用して、前記登録釦の操作中または操作から予め定める時間内に無線中継装置の近くにあった端末局のＩＤだけを自動的に登録することができ、中継を許可する端末局ＩＤの登録を容易に行うことができる。
【００１２】
さらにまた、本発明の無線中継装置では、前記制御手段は、前記第２の無線通信手段で受信された位置登録信号のレベル（ＲＳＳＩ（Receive Signal Strength Indicator））が予め定めるレベル以上である端末局のＩＤのみを前記記憶手段へ書込むことを特徴とする。
【００１３】
上記の構成によれば、前記登録モードであるときに、無線中継装置の付近を通過しただけの全く関係の無い端末局までも登録してしまうことはなく、登録のために近くに置いてあった端末局だけを登録することができる。
【００１４】
したがって、誤登録の可能性を小さくすることができる。
【００１５】
また、本発明のＰＨＳ中継装置は、前記の無線通信装置から成ることを特徴とする。
【００１６】
上記の構成によれば、中継を許可する端末局ＩＤの登録を容易に行うことができるＰＨＳ中継装置を実現することができる。
【発明の効果】
【００１７】
本発明の無線中継装置は、以上のように、ＰＨＳなどの無線通信システムに用いられ、無線通信を行う基地局と端末局との間に介在され、それらの一方から送信された信号を他方へ中継送信する無線中継装置において、その中継送信を制御する制御手段が、記憶手段に照会して、該記憶手段に記憶されているＩＤの端末局だけの中継送信を実現するために、登録手段が前記記憶手段への端末局ＩＤの書込みを行わせるにあたって、該登録手段は、起動後の予め定める時間だけ登録モードとして、前記記憶手段への端末局ＩＤの書込みを許可し、前記制御手段に、前記第２の無線通信手段で受信された端末局からの位置登録信号から、前記ＩＤを抽出させて前記記憶手段に記憶させる。
【００１８】
それゆえ、端末局の発呼操作は必要なく、端末局の電源が投入されていると、所定周期で発信されている位置登録信号を利用して、起動時に無線中継装置の近くにあった端末局のＩＤだけを自動的に登録することができ、中継を許可する端末局ＩＤの登録を容易に行うことができる。
【００１９】
また、本発明の無線中継装置は、以上のように、ＰＨＳなどの無線通信システムに用いられ、無線通信を行う基地局と端末局との間に介在され、それらの一方から送信された信号を他方へ中継送信する無線中継装置において、その中継送信を制御する制御手段が、記憶手段に照会して、該記憶手段に記憶されているＩＤの端末局だけの中継送信を実現するために、登録手段が前記記憶手段への端末局ＩＤの書込みを行わせるにあたって、該登録手段は、登録釦を有し、その登録釦の操作中または操作から予め定める時間だけ登録モードとして、前記記憶手段への端末局ＩＤの書込みを許可し、前記制御手段に、前記第２の無線通信手段で受信された端末局からの位置登録信号から、前記ＩＤを抽出させて前記記憶手段に記憶させる。
【００２０】
それゆえ、端末局の発呼操作は必要なく、端末局の電源が投入されていると、所定周期で発信されている位置登録信号を利用して、前記登録釦の操作中または操作から予め定める時間内に無線中継装置の近くにあった端末局のＩＤだけを自動的に登録することができ、中継を許可する端末局ＩＤの登録を容易に行うことができる。
【００２１】
さらにまた、本発明の無線中継装置は、以上のように、前記制御手段は、前記第２の無線通信手段で受信された位置登録信号のレベルが予め定めるレベル以上である端末局のＩＤのみを前記記憶手段へ書込む。
【００２２】
それゆえ、前記登録モードであるときに、無線中継装置の付近を通過しただけの全く関係の無い端末局までも登録してしまうことはなく、登録のために近くに置いてあった端末局だけを登録することができ、誤登録の可能性を小さくすることができる。
【００２３】
また、本発明のＰＨＳ中継装置は、以上のように、前記の無線通信装置から成る。
【００２４】
それゆえ、中継を許可する端末局ＩＤの登録を容易に行うことができるＰＨＳ中継装置を実現することができる。
【発明を実施するための最良の形態】
【００２５】
図１は、本発明の実施の一形態に係る無線中継装置であるＰＨＳ中継装置１を用いるＰＨＳシステムの構成を示すブロック図である。このＰＨＳシステムは、前記ＰＨＳ中継装置１と、基地局２と、１または複数のＰＨＳ端末局３（図１の例では、参照符号３Ａ，３Ｂの２つ図示している）と、前記基地局２とＩＳＤＮやＡＤＳＬなどの公衆網４を介して接続される電話会社のセンター装置５とを備えて構成される。なお、ＰＨＳシステムでは、多数の基地局２が設置されるが、ＰＨＳ中継装置１が中継先として選択するのは、最も電波状況の良い局、或いはセンターによって予め定められた１つの局であり、図１では１つだけ図示している。図１では、基地局２のサービスエリアを参照符号２ａで示し、ＰＨＳ中継装置１のサービスエリアを参照符号１ａで示している。
【００２６】
図２は、前記ＰＨＳ中継装置１の電気的な一構成例を示すブロック図である。このＰＨＳ中継装置１は、第１の無線通信部１１と、第２の無線通信部１２と、制御部１３と、記憶部１４と、登録部１５と、電源部１６と、インジケータ１７と、外部インタフェイス１８とを備えて構成される。前記第１の無線通信部１１は前記基地局２と通信を行い、前記第２の無線通信部１２は端末局３と通信を行い、前記制御部１３は前記第１および第２の無線通信部１１，１２を制御して、前記基地局２および端末局３の一方から送信された信号を他方へ中継送信させる。
【００２７】
その中継送信を実現するにあたって、第２の無線通信部１２は、端末局３からの位置登録信号を受信し、制御部１３は、その受信信号から端末局３のＩＤを抽出して抽出したＩＤを記憶部１４に照会し、予め登録された中継送信を許可する端末局であるか否かを判定している。そして、中継送信を許可する端末局でない場合には、第２の無線通信部１２に、その端末局３へ向けた制御信号中で、ビジー信号などの拒否信号を送信させ、すなわちぶら下がりを禁止して、その端末局３が発呼しても中継送信は行わない。これに対して、中継送信を許可する端末局である場合には、第１の無線通信部１１に基地局２へ向けてその端末局３からの位置登録信号を中継送信させてセンター装置５に位置登録を行わせ、端末局３からの発呼信号および端末局３への着信信号を、前記第１および第２の無線通信部１１，１２に中継送信させる。
【００２８】
上述のように構成されるＰＨＳ中継装置１において、注目すべきは、登録部１５が、電源部１６によって電源供給が開始された起動後の予め定める時間、たとえば１分間だけ、登録モードとして、前記制御部１３に記憶部１４への端末局ＩＤの書込みを許可することである。前記制御部１４は、その間に前記第２の無線通信部１２で受信された端末局３からの位置登録信号からＩＤを抽出し、抽出されたＩＤの内、さらにその第２の無線通信部１２のＲＳＳＩ１２ａで検出された受信電界強度レベルが予め定めるレベル、たとえば該ＰＨＳ中継装置１から１ｍ程度の範囲内に位置するレベル以上の端末局のＩＤのみを、前記記憶部１４に中継許可ＩＤとして記憶させる。電源部１６は、このＰＨＳ中継装置１内の各部へ電源供給を行う。
【００２９】
前記登録モードとなると、制御部１３は、インジケータ１７を、たとえば長周期で点滅させ、前記登録モードの終了までに１つの端末局でも正常に登録されると、たとえば連続点灯させ、全く登録できなかった場合は、たとえば短周期で点滅させる。こうして、登録状況を使用者に報知することができる。
【００３０】
したがって、端末局３の発呼操作は必要なく、端末局３の電源が投入されていると、所定周期で発信されている位置登録信号を利用して、ＰＨＳ中継装置１の起動時に該ＰＨＳ中継装置１の近くにあった端末局のＩＤだけを自動的に登録することができ、中継を許可する端末局ＩＤの登録を容易に行うことができる。こうして、中継を許可する端末局ＩＤの登録を容易に行うことができるＰＨＳ中継装置を実現することができる。
【００３１】
また、前記制御部１３が、前記第２の無線通信部１２で受信された位置登録信号のレベル（ＲＳＳＩ）が予め定めるレベル以上である端末局のＩＤのみを前記記憶部１４へ書込むことで、前記登録モードであるときに、該ＰＨＳ中継装置１の付近を通過しただけの全く関係の無い端末局までも登録してしまうことはなく、登録のために近くに置いてあった端末局だけを登録することができる。
【００３２】
また、注目すべきは、前記登録部１５は、登録釦１５ａを有し、該登録釦１５ａの操作中または操作から予め定める時間、たとえば前記１分間だけ、前記登録モードとして、前記制御部１３に記憶部１４への端末局ＩＤの書込みを許可することである。登録モードでの動作は、前記受信電界強度レベルの参照やインジケータ１７の表示動作等、同様であり、その説明を省略する。このように構成してもまた、中継を許可する端末局ＩＤの登録を容易に行うことができる。
【００３３】
なお、上述のように電源のＯＦＦ／ＯＮまたは登録釦１５ａの操作で、複数の端末局を一発登録可能であるが、再度前記電源をＯＦＦ／ＯＮしたり、登録釦１５ａを操作したりして、再び登録モードになった場合には、登録内容は全面的に更新されることになる。そこで、外部インタフェイス１８が設けられており、該外部インタフェイス１８にＵＳＢ（ユニバーサルシリアルバス）などでパーソナルコンピュータなどの外部機器２０を接続し、その外部機器２０では専用のソフトウェアを用い、制御部１３を制御して、予め登録しておきたい端末局や登録を消去したい一部の端末局のＩＤを個別に変更可能となっている。これによって、たとえば該ＰＨＳシステムが事業所で使用される場合、同じＰＨＳシステムを用いる他の事業所の職員の端末を、出張に合わせて予め登録しておいたり、出張から帰った場合の消去を、他の端末をＰＨＳ中継装置１のまわりに準備することなく行うことができ、利便性を向上することができる。
【００３４】
さらにまた、個別の端末局のＩＤを登録したり消去したりするにあたって、センター装置５がＰＨＳ中継装置１へ制御信号を送信することで行われてもよい。具体的には、前記センター装置５が、登録すべきＩＤや消去すべきＩＤを前記制御信号に載せて送信し、また記憶部１４に登録されているＩＤの読出し信号を前記制御信号に載せて送信することで、制御部１３はその制御信号をデコードして、対応した動作を行う。このように構成することで、センター装置５側で中継を許可する端末局のＩＤを管理することができる。これによって、たとえば電話会社がＰＨＳ中継装置１を事業者や家庭に貸し出し、中継端末数に応じて課金を行ったり、中継を許可する端末局を電話会社側で設定したりすることができ、利便性を一層向上することができる。
【００３５】
なお、前記電源のＯＦＦ／ＯＮで再び登録モードになり、以前の登録内容が消去されるので、不所望な消去を防止するために、電源部１６には、停電に対するバックアップが必要である。
【図面の簡単な説明】
【００３６】
【図１】本発明の実施の一形態に係る無線中継装置であるＰＨＳ中継装置を用いるＰＨＳシステムの構成を示すブロック図である。
【図２】前記ＰＨＳ中継装置の電気的な一構成例を示すブロック図である。
【符号の説明】
【００３７】
１    ＰＨＳ中継装置
２    基地局
３；３Ａ，３Ｂ    端末局
４    公衆網
５    センター装置
１１    第１の無線通信部
１２    第２の無線通信部
１３    制御部
１４    記憶部
１５    登録部
１５ａ  ＲＳＳＩ
１６    電源部
１７    インジケータ
１８    外部インタフェイス
２０    外部機器
【図１】
2009130776.tif 000003
【図２】
2009130776.tif 000004